(57)【要約】本発明は広帯域光源（ＢＬＳ）の位置調整を利用した長距離伝送用波長分割多重化受動光回線（ＷＤＭ‐ＰＯＭ）に関し、特に高品質サービス（ＱｏＳ）をもたらし、そして光回線における伝送費用を削減するように、ＢＬＳ位置を調整することにより、ＷＤＭ‐ＰＯＮの伝送距離を伸ばすＷＤＭ‐ＰＯＮに関する。本発明による広帯域光源（ＢＬＳ）の位置調整を利用した長距離伝送用ＷＤＭ‐ＰＯＮは、下流信号用光源へ注入されるＡバンドＢＬＳ、ＡバンドＢＬＳ結合用ＡバンドＢＬＳ結合装置、多重化／逆多重化用ＡバンドＢＬＳ結合装置へ接続された第１波長分割多重化装置／逆多重化装置、及び第１波長分割多重化装置／逆多重化装置へ接続された複数の第１光送受信機からなる、中央局(ＣＯ)；ＢバンドＢＬＳ結合装置、及び多重化／逆多重化用ＢバンドＢＬＳ結合装置へ接続された第２波長分割多重化装置／逆多重化装置からなり、光ファイバを通してＣＯへ接続された遠隔ノード（ＲＮ）；及びＲＮ又は複数ＯＮＴの１つのいずれかが更に上流信号用光源に注入されるＢバンドＢＬＳを含み、第２波長分割多重化装置／逆多重化装置へ接続された複数の第２光送受信機を含む複数の光回線終端（ＯＮＴ）；からなる。【選択図】図２
2008516549.tif 000002
【特許請求の範囲】
【請求項１】
広帯域光源(ＢＬＳ)の位置調整を利用した長距離伝送用波長分割多重化受動光回線であって，下流信号用光源に注入されるＡバンドＢＬＳ，該ＡバンドＢＬＳの結合用ＡバンドＢＬＳ結合装置，多重化／逆多重化用ＡバンドＢＬＳ結合装置へ接続された第１波長分割多重化装置／逆多重化装置、及び該第１波長分割多重化装置／逆多重化装置へ接続された複数の第１光送受信機，からなる中央局(ＣＯ)；
ＢバンドＢＬＳ結合装置及び多重化／逆多重化用ＢバンドＢＬＳ結合装置へ結合された第２波長分割多重化装置／逆多重化装置，からなり，そして光ファイバを通して該ＣＯへ接続される、遠隔ノード(ＲＮ)；及び
該ＲＮまたは該複数のＯＮＴの1つのいずれかが更に上流信号用光源に注入されるＢバンドＢＬＳを含み、
該第２波長分割多重化装置／逆多重化装置へ接続された複数の第２光送受信機を含む複数の光回線終端(ＯＮＴ)、からなる光回線。
【請求項２】
該ＢバンドＢＬＳは少なくとも１つの隣接するＣＯ又は少なくとも１つの隣接するＲＮのいずれかに含まれる，請求項１に記載の長距離伝送用波長分割多重化受動光回線。
【請求項３】
該ＢバンドＢＬＳは該複数ＯＮＴの少なくとも１つのＯＮＴに含まれる，請求項１に記載の長距離伝送用波長分割多重化受動光回線。
【請求項４】
下流信号用光源と上流信号用光源はそれぞれ外から注入されるＢＬＳによるＦ−ＰＬＤか又はＢＬＳが外から注入される半導体光増幅器である，請求項１に記載の長距離伝送用波長分割多重化受動光回線。
【請求項５】
外から注入されるＢＬＳによるＦ−ＰＤＬは耐反射被覆されている，請求項４に記載の長距離伝送用波長分割多重化受動光回線。
【請求項６】
外から注入されるＢＬＳによるＦ−ＰＬＤの２つの隣接するレーザ発振モード間の周波数の隔たりは、外から注入される非干渉光のチャネルの隔たりより狭い、請求項４に記載の長距離伝送用波長分割多重化受動光回線。
【請求項７】
外から注入されるＢＬＳによる該Ｆ−ＰＬＤの２つの隣接するレーザ発振モード間の周波数の隔たりが外から注入される非干渉光のチャネルの隔たりのｎ倍である場合，ｎ個の異なるＯＮＴが使用され、この場合該Ｆ−ＰＬＤの発振波長がその温度を制御することにより調節される，請求項４に記載の長距離伝送用波長分割多重化受動光回線。
【請求項８】
該ＢＬＳは光放射ダイオード(ＬＥＤ)，増幅された自然放射(ＡＳＥ)，超発光ダイオード(ＳＬＤ)及び半導体レーザのいずれか１つである，請求項１〜６のいずれか１つに記載の長距離用伝送用波長分割多重化受動光回線。
【請求項９】
該第１波長分割多重化装置／逆多重化装置及び該第２波長分割多重化装置／逆多重化装置は夫々アレー型導波管格子(ＡＷＧ)又は薄膜フィルタのいずれかである、請求項１に記載の長距離伝送用波長分割多重化受動光回線。
【請求項１０】
該ＡバンドＢＬＳ結合装置は：
該ＡバンドＢＬＳをその第１端子1に入力するためのそして該ＡバンドＢＬＳをその第１端子２へ出力するための手段，及び波長ロックされたＡバンド下流信号をその該第１端子２へ入力するためのそして該波長ロックされたＡバンド下流信号をその第１端子３へ出力するための手段を有する第１光循環器；
該ＡバンドＢＬＳをその第１端子Ａヘ入力するためのそして該ＡバンドＢＬＳをその第１端子ＡＢへ出力するための手段，該波長ロックされたＡバンド下流信号をその該第１端子ＡＢへ入力するためのそして該波長ロックされたＡバンド下流信号をその該第１端子Ａへ出力するための手段，及び契約者から伝送されたＢバンド上流信号をその該第１端子Ｂへ入力するためのそして該Ｂバンド上流信号をその該第１端子ＡＢへ出力するための手段を有する第１バンド分離波長分割多重化装置；
及び該波長ロックされたＡバンド下流信号をその第２端子Ａへ入力するためのそして該波長ロックされたＡバンド下流信号をその第２端子ＡＢへ出力するための手段、及び該契約者から伝送された該Ｂバンド上流信号をその該第2端子ＡＢへ入力するためのそして該Ｂバンド上流信号をその第２端子Ｂへ出力するための手段、を有する第2バンド分離波長分割多重化装置，からなる，請求項１に記載の長距離伝送用波長分割多重化受動光回線。
【請求項１１】
該ＢバンドＢＬＳ結合装置は：
該ＢバンドＢＬＳをその第２端子１ヘ入力するためのそして該ＢバンドＢＬＳをその第２端子２へ出力するための手段，及び波長ロックされたＢバンド下流信号をその該第２端子２へ入力するためのそして該波長ロックされたＢバンド下流信号をその第２端子３へ出力するための手段、を有する第２光循環器；
該ＢバンドＢＬＳをその第４端子Ｂへ入力するためのそして該ＢバンドＢＬＳをその第４端子ＡＢへ出力するための手段、該波長ロックされたＢバンド上流信号をその該第4端子ＡＢへ入力するためのそして該波長ロックされたＢバンド上流信号をその該第4端子Ｂへ出力するための手段，及びＣＯから伝送されたＡバンド下流信号をその第４端子Ａヘ入力するためのそして該Ａバンド下流信号をその該第４端子ＡＢへ出力するための手段、を有する第４バンド分離波長分割多重化装置；
及び該波長ロックされたＢバンド上流信号をその第３端子Ｂへ入力するためのそして該波長ロックされたＢバンド上流信号をその第3端子ＡＢへ出力するための手段，及び該ＣＯから伝送されたＡバンド下流信号をその該第３端子ＡＢへ入力するためのそして該Ａバンド下流信号をその第３端子Ａへ出力するための手段、を有する第３バンド分離波長分割多重化装置；からなる、請求項１に記載の長距離伝送用波長分割多重化受動光回線。
【請求項１２】
該ＡバンドＢＬＳ結合装置及び該ＢバンドＢＬＳ結合装置は夫々アレー型導波管格子(ＡＷＧ)又は薄膜フィルタである、請求項１，１０及び１１のいずれかに記載の長距離伝送用波長分割多重化受動光回線。
【請求項１３】
エラー補正コードは夫々該第１波長分割多重化装置／逆多重化装置へ接続された複数の第１光送受信機用と該第２波長分割多重化装置／逆多重化装置へ接続された複数の第２光送受信機用に使用される、請求項1に記載の長距離伝送用波長分割多重化受動光回線。
【発明の詳細な説明】
【技術分野】
【０００１】
本発明は広帯域光源（ＢＬＳ）の位置調整を利用した長距離伝送用波長分割多重化受動光回路（ＷＤＭ‐ＰＯＮ）に関する。特に本発明は高品質サービス（ＱｏＳ）をもたらし、そして光回線における伝送費用を削減するように、ＢＬＳの位置を調整することによりＷＤＭ‐ＰＯＮの伝送距離を伸ばすＷＤＭ‐ＰＯＮに関する。
【背景技術】
【０００２】
各契約者毎のバンド幅をより広くしたい要望は、音声と文章指向のサービスがインターネットの急速な発展によりビデオベースのサービスへ発展して来ているように増加している。この要望に合わせるため、光ファイバベースの受動光回線（ＰＯＮ）技術の研究は活発に行われて来た。ＰＯＮ技術は時分割多重化受動光回線（ＴＤＭ‐ＰＯＮ）とＷＤＭ‐ＰＯＮとに分類される。
【０００３】
一般に、ＰＯＮにおける中央局（ＣＯ）と各契約者との間の最大伝送距離は２０ｋｍが限度である。しかしもし長距離伝送がＣＯから各契約者へ可能であれば、１つのＣＯによりサービスされる地域は非常に拡大できる。例えばＰＯＮの最大伝送距離が６０ｋｍ迄伸ばせれば、１つのＣＯのみを利用してある地域のサービスを提供することが可能となる一方、同一地域を最大伝送距離が２０ｋｍのＰＯＮを利用する場合は、９個所のＣＯを利用することによりサービスを提供することになる。この場合、信号は光ファイバを通して契約者からＣＯへ伝送できるので、都市回線及び契約者とＣＯとの間に備えられた都市回線用の設備を除去でき、これにより信号の高ＱｏＳを容易に得ることができる。
【０００４】
従って、長距離伝送の可能なＰＯＮを利用する場合、光回線全体でＣＯの数を非常に減らすことができる。この結果、ＣＯ設置用の広いエリアは必要なく、且つＣＯを設置するための多くの設備が減少するので、設置費用の削減が可能となる。更に情報は契約者からＣＯへ単一ホップにより伝送がおそらく可能になるので、契約者に提供される信号のＱｏＳを向上させることができる。
【０００５】
更に、大都市の場合、その中心地に数個所のＣＯを密集して設置する必要なく、その大都市郊外に1つのＣＯを設置することにより、そして長距離伝送可能なＰＯＮを利用してその大都市の内部にある各契約者へ設置されたＣＯを接続することにより、広いバンド幅を安定して有する高品質サービスを提供することができる。
【０００６】
上記特徴により、長距離伝送可能なＰＯＮは光回線の初期設置費用を非常に削減し、ホップの数を減らすことにより信号のＱｏＳを向上させ、そして光回線維持のための保守費用を削減する。
【０００７】
上記特徴を有するＴＤＭ‐ＰＯＮで、ＣＯから各契約者への伝送距離の延長に関する研究はＤ．Ｎｅｓｓｅｔ他の「上流ビット速度２．５Ｇｂ／ｓと１０Ｇｂ／ｓでの１００ｋｍ延長増幅ＰＯＮの実証」と題する２００４年ＥＣＯＣ会報の論文Ｗｅ２，６，３，２００４及びＧｉｕｓｅｐｐｅ  Ｔａｌｌｉ他の「上流ビット速度２．５Ｇｂ／ｓと１０Ｇｂ／ｓでの１００ｋｍ延長ＤＷＤＭ超ＰＯＮの実現可能性の実証」と題する２００５年ＯＦＣ、光ファイバ通信会議の会報の２００５年３月ＯＦＩ１論文による最近の記事で発表されている。
【０００８】
しかしＴＤＭ‐ＰＯＮに使用される光エネルギ分割機での分割損失および長距離光ファイバでの損失を補償するため、ＣＯと契約者との間に光増幅器を使用することは避けられない。  更にＴＤＭ‐ＰＯＮにおいて、契約者毎の広いバンド幅、従って長距離伝送を達成するため光ファイバの分散を補償するための装置を保障するため伝送ビット速度を向上させることが必要である。光増幅器と分散補償装置を使用することによりＰＯＮの費用が増加し、システムの信頼性が低下するという欠点が生ずる。
【０００９】
図１は長距離伝送用の従来技術のＷＤＭ‐ＰＯＮの図を示す。図１に示すように、従来技術のＷＤＭ‐ＰＯＮは「注入広帯域光源による波長ロック式ファブリーぺロー・レーザダイオードを利用したＷＤＭ‐ＰＯＮ用光源」と題する韓国登録特許番号３２５、６８７（以下特許'６８７）で提案されている波長ロック式ファブリ−ペロー・レーザダイオード（Ｆ‐ＰＬＤ）１１ａ、１１ｂ、１１ｃ、３１ａ、３１ｂ及び３１ｃをその光源として使用する。上流信号用ＢＬＳ１３の場合、上流信号用ＢＬＳ１３と下流信号用ＢＬＳ１４が共に図１に示す従来技術のＷＤＭ‐ＰＯＮでＣＯ１０に配置されるので、ＣＯ１０と光回線終端（ＯＮＴ）３０との間に配置された光ファイバ４０による損失を被ることは避けられない。特許’６８７で開示された内容を本発明の明細書へ参考として組み込む。
【００１０】
上記のようにＣＯ１０に配置された上流信号用ＢＬＳ１３は光ファイバ４０による損失を受けた後、ＯＮＴ３０に配置されたＦ‐ＰＬＤ３１ａ、３１ｂと３１ｃへ注入されるので、上流信号用ＢＬＳ１３の出力は伝送距離が増加するにつれて増加させなければならない。しかし、ＢＬＳの費用は急速に増加し、出力が増加するにつれ、ＢＬＳの具体化は困難となるといういくらかの欠点がある。更に高出力ＢＬＳの取り扱いは容易でない。
【発明の開示】
【発明が解決しようとする課題】
【００１１】
本発明の目的は従来技術の問題を解決し、そして注入ＢＬＳの光エネルギ減衰による伝送距離の限界を緩和させるように、スペクトル分割ＢＬＳ注入を利用するＷＤＭ‐ＰＯＮシステムにおいてＯＮＴに上流信号用ＢＬＳを配置することにより、光増幅器と分散補償装置を使用せずに経済的かつ安定してＱｏＳを確保できる長距離伝送用ＷＤＭ‐ＰＯＮを提供することである。
【課題を解決するための手段】
【００１２】
本発明の一態様によると、本発明は、下流信号用光源へ注入されるＡバンドＢＬＳ、ＡバンドＢＬＳ結合用ＡバンドＢＬＳ結合装置、多重化／逆多重化用ＡバンドＢＬＳ結合装置へ接続された第１波長分割多重化装置／逆多重化装置、及び第１波長分割多重化装置／逆多重化装置へ接続された複数の第１光送受信機からなる中央局(ＣＯ)；ＢバンドＢＬＳ結合装置と多重化／逆多重化用ＢバンドＢＬＳ結合装置へ接続された第２波長分割多重化装置／逆多重化装置とからなり、そして光ファイバを通してＣＯへ接続された遠隔ノード（ＲＮ）；及び、ＲＮ又は複数ＯＮＴの１つのいずれかが更に上流信号用光源に注入されるＢバンドＢＬＳを含み、第２波長分割多重化装置／逆多重化装置へ接続された複数の第２光送受信機を含む複数の光回線終端（ＯＮＴ）からなる、広帯域光源（ＢＬＳ）の位置調整を利用した長距離伝送用波長分割多重化受動光回線、を提供する。
【００１３】
本発明の更なる特徴と利点は、同じ又は同様の参照番号は同じ要素を表示する付属図面の参照により明確に理解することができる。
【発明の効果】
【００１４】
本発明によるＢＬＳの位置調整を利用した長距離伝送用ＷＤＭ‐ＰＯＮにおいて、注入ＢＬＳの光エネルギ減衰による伝送距離の限定が解決されるように、スペクトル分割ＢＬＳの注入を利用するＷＤＭ‐ＰＯＮでＯＮＴの上流信号用ＢＬＳを配置することにより光増幅器と分散補償用装置を使用せずに、経済的に長距離伝送が可能なＷＤＭ‐ＰＯＮを具体化することが可能である。更に本発明による長距離伝送用ＷＤＭ‐ＰＯＮは１つの光回線によりサービスできる地域を大いに広げる。更に光回線全体でＣＯの数を大いに削減させることによりシステムの初期設置費用を削減し、そして光回線の初期設定費用を大いに削減し、ホップの数を削減することにより信号のＱｏＳを増加させることができる。
【００１５】
更に本発明によるＢＬＳの位置調整を利用した長距離伝送用ＷＤＭ‐ＰＯＮにおいて、その中央地域に密集して数個所のＣＯを設置する必要なく大都市の郊外に1つのＣＯを設置することにより、そして長距離伝送用ＰＯＮを利用して大都市の内側にある各契約者へ、設置されたＣＯを接続することにより少ない設置投資費用で安定して広いバンド幅を有する高品質のサービスを提供することができる。
【発明を実施するための最良の形態】
【００１６】
以後本発明による好適な実施形態の構造及び機能について付属図面に関し更に詳細に述べる。
【００１７】
図２はＢＬＳが契約者端に配置される本発明による長距離伝送用ＷＤＭ‐ＰＯＮの図を示す。図２に示すように、ＢＬＳがＯＮＴに配置される長距離伝送用ＷＤＭ‐ＰＯＮは主としてＣＯ１００、遠隔ノード（ＲＮ）２００及び複数のＯＮＴ３００からなる。
【００１８】
ＣＯ１００は更に下流信号用光源へ注入されるＡバンドＢＬＳ１３０、ＡバンドＢＬＳ結合用ＡバンドＢＬＳ結合装置１４０、多重化／逆多重化用ＡバンドＢＬＳ結合装置１４０に接続された第１波長分割多重化装置／逆多重化装置１２０、及び第１波長分割多重化装置／逆多重化装置１２０へ接続された光送受信機１１０ａ、１１０ｂ、と１１０ｃからなる。更にＢバンドＢＬＳはシステム保護のための最低１つの隣接ＣＯに含まれる。
【００１９】
ＲＮ２００はＢバンドＢＬＳ３２０ａ結合用ＢバンドＢＬＳ結合装置２２０及び多重化／逆多重化用ＢバンドＢＬＳ結合装置２２０へ接続された第２波長分割多重化装置／逆多重化装置２１０を含み、そして光ファイバ４００を通してＣＯ１００へ接続される。
【００２０】
複数のＯＮＴ３００は第２波長分割多重化装置／逆多重化装置２１０へ接続された光送受信機３１０ａ、３１０ｂと３１０ｃを含む。少なくとも複数ＯＮＴ３００の１つは更にＢバンドＢＬＳ３２０ａを含む。
【００２１】
更に、特許’６８７で提案されたように外から注入されるＢＬＳによる波長ロック式Ｆ‐ＰＬＤ、又はＢＬＤが外から注入される半導体光増幅器が上流信号と下流信号用の光源として使用される。その波長が外から注入されるＢＬＳによりロックされるＦ‐ＰＬＤは耐反射被覆Ｆ‐ＰＬＤである。
【００２２】
更にその波長が外部から注入されるＢＬＳによりロックされるＦ‐ＰＬＤの２つの隣接レーザ発振モード間の周波数の隔たりは外から注入される非干渉光のチャネルの隔たりより狭い。
【００２３】
更にその波長が外から注入されるＢＬＳによりロックされるＦ−ＦＬＤの２つの隣接レーザ発振モード間の周波数の隔たりが外から注入される非干渉光のチャネルの隔たりのｎ倍である場合は、Ｆ‐ＰＬＤの発振波長がその温度を制御することにより調節されるｎ個の異なるＯＮＴを使用する。
【００２４】
光放射ダイオード（ＬＥＤ）、増幅された自然放射（ＡＳＥ）、超発光ダイオード（ＳＬＤ）又は半導体レーザがＢＬＳとして使用される。
【００２５】
アレー型導波路格子（ＡＷＧ）又は薄膜フィルタが第１波長分割多重化装置／逆多重化装置１２０及び第２波長分割多重化装置／逆多重化装置２１０として使用される。ＡＷＧ使用の場合、契約者に提供されるバンド幅は、ＡＷＧの周期的濾過特性を使用する場合、ＡバンドとＢバンドに加え、異なるバンドを使用することにより拡幅される。
【００２６】
光エネルギ分割器はＡバンドＢＬＳ結合装置１４０とＢバンドＢＬＳ結合装置２２０として使用される。
【００２７】
エラー修正コードは第１波長分割多重化装置／逆多重化装置１２０へ接続された光送受信機１１０ａ、１１０ｂ、と１１０ｃ用及び第２波長分割多重化装置／逆多重化装置２１０へ接続された光送受信機３１０ａ、３１０ｂと３１０ｃ用に使用される。
【００２８】
図３はＣＯに配置されたＡバンドＢＬＳをシステムへ接続するため、本発明による結合装置の図を示す。図３に示すように、ＣＯに配置されたＡバンドＢＬＳをシステムへ結合するための結合装置は光循環器１４１及び２つのＡ／Ｂハンド分離波長分割多重化装置（Ａ／Ｂ−ＷＤＭ）１４２、１４３からなる。
【００２９】
ＣＯに配置された下流信号用ＡバンドＢＬＳは光循環器１４１の端子１へ入力され、その端子２から出力される。光循環器１４１の端子２からの出力信号はＡ／Ｂ−ＷＤＭ１（１４２）の端子Ａへ入力され、その端子ＡＢから出力され、次に第１波長分割多重化装置／逆多重化装置１２０へ入力される。その各々がＣＯで波長ロックされるＡバンド下流信号は第１波長分割多重化装置／逆多重化装置１２０で多重化され、Ａ／Ｂ‐ＷＤＭ１（１４２）の端子ＡＢへ入力され、次にその端子Ａへ出力される。その後、これらの下流信号は光循環器１２１の端子２へ入力され、光循環器１２１の端子３とＡ／Ｂ‐ＷＤＭ２（１４３）の端子Ａの両方を通過し、次にＡ／Ｂ‐ＷＤＭ２（１４３）の端子ＡＢヘ出力される。Ａ／Ｂ−ＷＤＭ２(１４３) の端子ＡＢからの出力信号は下流へ伝送される。
【００３０】
ＯＮＴから伝送されたＢバンド上流信号はＡ／Ｂ‐ＷＤＭ２（１４３）の端子ＡＢへ入力され、その端子Ｂへ出力される。次に、Ａ／Ｂ−ＷＤＭ２(１４３)の端子Ｂからの出力信号はＡ／Ｂ−ＷＤＭ１(１４２)の端子Ｂへ入力され、そしてその端子ＡＢへ出力される。Ａ／Ｂ‐ＷＤＭ１（１４２）の端子ＡＢからの出力信号は上流へ伝送される。
【００３１】
図４は契約者端に配置されたＢバンドＢＬＳをシステムへ接続するための、本発明よる結合装置の図を示す。図４に示すように、ＯＮＴに配置された上流信号用ＢバンドＢＬＳは光循環器２２１の端子１へ入力され、その端子２から出力される。光循環器２２１の端子２からの出力信号はＡ／Ｂ‐ＷＤＭ４（２２３）の端子Ｂへ入力され、その端子ＡＢへ出力され、次に第２波長分割多重化装置／逆多重化装置２１０へ入力される。その各々が各契約者端で波長ロックされるＢバンド下流信号は第２波長分割多重化装置／逆多重化装置２１０で多重化され、Ａ／Ｂ‐ＷＤＭ４（２２３）の端子ＡＢへ入力され、次にその端子Ｂへ出力される。その後これらの上流信号は光循環器２２１の端子２へ入力され、光循環器２２１の端子３とＡ／Ｂ‐ＷＤＭ３（２２２）の端子Ｂの両方を通過し、次にＡ／Ｂ‐ＷＤＭ３（２２２）の端子ＡＢヘ出力される。Ａ／Ｂ−ＷＤＭ３(２２２)の端子ＡＢからの出力信号は上流へ伝送される。
【００３２】
ＣＯから伝送されたＡバンド下流信号はＡ／Ｂ‐ＷＤＭ３（２２２）の端子ＡＢへ入力され、その端子Ａへ出力される。次にＡ／Ｂ‐ＷＤＭ３（２２２）の端子Ａからの出力信号はＡ／Ｂ‐ＷＤＭ４（２２３）の端子Ａへ入力され、その端子ＡＢへ出力される。Ａ／Ｂ‐ＷＤＭ４（２２３）の端子ＡＢからの出力信号は下流へ伝送される。ところで、光循環器はもしシステムの出力余裕が十分であればＢＬＳ結合装置として使用される。
【００３３】
図５はＢＬＳが遠隔ノードに配置される本発明による長距離伝送用ＷＤＭ‐ＰＯＮの図を示す。図５に示すように、長距離伝送用ＷＤＭ‐ＰＯＮを具体化するための代わりの実施形態を、上流信号用ＢＬＳをＲＮ２００に配置されるＷＤＭ‐ＰＯＮの構成として示す。
【００３４】
ＷＤＭ‐ＰＯＮの残りの構成は上流信号用ＢＬＳの配置を除き、図２に示すＷＤＭ−ＰＯＮの構成と略同じである。図５に示す実施形態は動力がＲＮ２００の設置場所で容易に確保できる場合に使用されることが望ましい。
【００３５】
少なくとも１つの隣接するＲＮ２００がＲＮ２００の近くに構築され、そしてＢＬＳ２３０は更に隣接するＲＮ２００へ含まれる。更にＢバンドＢＬＳは更にシステム保護のため少なくとも１つの隣接するＲＮに含まれる。
【００３６】
図６は上流信号用各ＢＬＳが2個所以上の異なる契約者に配置される本発明による長距離伝送用ＷＤＭ‐ＰＯＮの図を示す。図６に示すように、たとえＢＬＳの供給が電力の中断により又は上流信号用ＢＬＳが配置される１つの契約者の光ファイバの切断により停止される場合でも、異なる契約者に配置されたＢＬＳは上流信号用ＢＬＳを絶えず提供でき、これによりシステムを保護することができる。
【００３７】
以下の２つの方法は保護機能の点でＢＬＳの実際の作動で使用される。
【００３８】
第１の方法は正常状況では常時２つ以上のＢＬＳを作動させる方法である。この場合、ＢＬＳが配置される１つの場所で緊急事態が発生しても、異なる場所に配置された別のＢＬＳを使用してシステムを稼動させることが可能である。
【００３９】
第２の方法は正常状況でのみ単一ＢＬＳを稼動させ、そして監視制御回路を使用して単一稼動ＢＬＳを監視する方法である。単一ＢＬＳの稼動を緊急事態に限定する場合、異なる場所に配置された別のＢＬＳを稼動させることが可能である。
【００４０】
その波長が外から注入されるＢＬＳによりロックされるＦ‐ＰＬＤの２つの隣接するレーザ発振モード間の周波数の隔たりが外から注入される非干渉光のチャネルの隔たりより狭い場合、少なくとも１つのレーザ発振モードが外部環境が変動しても注入される非干渉光のチャネルバンド内に常に存在する。従って非干渉光が２つの隣接するレーザ発振モードへ注入される場合、大出力を得ることができるので、波長依存ＯＮＴを具体化することができる。
【００４１】
Ｆ‐ＰＬＤの２つの隣接するレーザ発振モード間の周波数の隔たりはそのキャビティ長により決定され、各共通モードの周波数の隔たりはキャビティ長に反比例する。
【００４２】
従って、Ｆ‐ＰＬＤのキャビティ長は、波長依存型ＯＮＴを具体化するため、外部から注入される非干渉光のチャネルの隔たりに等しいキャビティ長の値に常に等しいか又はこれより長い。
【００４３】
しかし、Ｆ‐ＰＬＤのキャビティ長が伸びる場合、レーザのパッケージ化を行うことは極めて困難である。
【００４４】
上記問題の解決法として、Ｆ‐ＰＬＤにおける２つの隣接するレーザ発振モード間の周波数の隔たりが注入される非干渉光のチャネルの隔たりと同じであるＦ‐ＰＬＤを利用する場合波長依存型ＯＮＴを具体化が可能である。即ちもしＦ‐ＰＬＤの発振波長がその温度を制御することにより注入される非干渉光の波長の１つに調節できるならば、いかなる波長（即ちいかなるＯＮＴでも）Ｆ‐ＰＬＤも利用することができる。Ｆ‐ＰＬＤの２つの隣接するレーザ発振モード間の周波数の隔たりが非干渉光のチャネルの隔たりのｎ倍である場合、ｎ個の異なるＯＮＴが使用される。
【産業上の利用可能性】
【００４５】
本発明によるＢＬＳの位置調整を利用した長距離伝送用ＷＤＭ‐ＰＯＮにおいて、注入ＢＬＳの電力減衰による伝送距離の制限を解決するように、スペクトル分割式ＢＬＳの注入を利用するＷＤＭ‐ＰＯＮシステムにおけるＯＮＴの上流信号用ＢＬＳを配置することにより、光増幅器と色分散補償装置を使用することなく、経済的に長距離伝送を可能にするＷＤＭ‐ＰＯＮを具体化することが可能である。更に本発明による長距離伝送用ＷＤＭ‐ＰＯＮは１つの光回線によりサービスされる地域を大いに拡大する。更に光回線全体でのＣＯの数を大いに削減することによりシステムの初期設置費用を削減し、光回線の初期設置費用を削減し、ホップ数を減らすことにより信号のＱｏＳを高めることが可能となる。
【００４６】
更に本発明によるＢＬＳの位置調整を利用した長距離伝送用ＷＤＭ‐ＰＯＮにおいて、その中心地に密集して数個所のＣＯを設置する必要なく、大都市郊外に１つのＣＯを設置することにより、そして長距離伝送用ＰＯＮを利用して大都市の内部地域に位置する各契約者に設置されたＣＯを接続することにより、低い設置投資費用で安定して広いバンド幅を有する高品質サービスを提供することが可能である。
【００４７】
本発明範囲から離れずにここで述べ、示した構造や方法で色々な修正が可能であるので、前記に含まれ又は付属図面で示したことは全て限定ではなく説明的なものと解釈されることを意図する。このため本発明の幅や範囲は上記の典型的実施形態のいずれによっても限定されるべきではなく、これに付属する以下の特許請求の範囲、及びそれらの同等物によってのみ規定されるべきである。
【図面の簡単な説明】
【００４８】
【図１】長距離伝送用従来技術のＷＤＭ‐ＰＯＮの図を示す。
【００４９】
【図２】ＢＬＳが契約者端に配置される、本発明による長距離伝送用ＷＤＭ‐ＰＯＮの図を示す。
【００５０】
【図３】ＣＯに配置されるＡ‐バンドＢＬＳをシステムへ接続するための本発明による結合装置の図を示す。
【００５１】
【図４】契約者端に配置されるＢバンドＢＬＳをシステムへ接続するための本発明による結合装置の図を示す。
【００５２】
【図５】ＢＬＳが遠隔ノードに配置される本発明による長距離伝送用ＷＤＭ‐ＰＯＮの図を示す。
【００５３】
【図６】上流信号用各ＢＬＳが2個所以上の異なる契約者に配置される本発明による長距離伝送用ＷＤＭ‐ＰＯＮの図を示す。
【符号の説明】
【００５４】
1、2、3：端子
10，100：中央局（ＣＯ）
11ａ、11ｂ、11ｃ、110ａ、110ｂ、110ｃ：レーザダイオード
120、210：多重化装置／逆多重化装置
13、14、130、320ａ：ＢＬＳ
20、200：遠隔ノード（ＲＮ）
22、140、220：結合装置
30，300：光回線終端（ＯＮＴ）
40、400：光ファイバ
31ａ、31ｂ、31ｃ、310ａ、310ｂ、310ｃ：光送受信器
121、141、142、143、221、222、223：光循環器
【図１】
2008516549.tif 000003
【図２】
2008516549.tif 000004
【図３】
2008516549.tif 000005
【図４】
2008516549.tif 000006
【図５】
2008516549.tif 000007
【図６】
2008516549.tif 000008
【国際調査報告】
2008516549.tif 000009
2008516549.tif 000010